(57)【要約】【課題】背景布を発光させる撮影用背景システムおよび撮影用背景システムの設置方法を提供することである。【解決手段】撮影用背景システム１００は、壁面４００に設けられた複数の蛍光灯２００と、蛍光灯２００から光源が照射される一の方向に配設される背景布３００と、を含む。この場合、蛍光灯２００から照射された光が背景布３００の裏面に照射されることで、背景布３００の表面を発光させることができる。また、複数の蛍光灯２００を用いることで、むらなく背景布３００の表面を明るくすることができる。【選択図】図１
2017135533.tif 000002
【特許請求の範囲】
【請求項１】
壁面に設けられた複数の光源装置と、
前記光源装置から光源が照射される一の方向に配設される背景布と、を含む撮影用背景システム。
【請求項２】
前記複数の光源装置は、複数の蛍光灯からなり、
前記複数の蛍光灯は、所定の間隔で配設された、請求項１記載の撮影用背景システム。
【請求項３】
前記複数の蛍光灯は、前記壁面の鉛直上方向から鉛直下方向に沿って、千鳥状に配設された、請求項２に記載の撮影用背景システム。
【請求項４】
前記複数の蛍光灯は、前記壁面の鉛直下方側に配置された複数の蛍光灯と、前記壁面の鉛直上方側に配置された複数の蛍光灯とが、鉛直方向に沿って一部互いに重複配置された、請求項２または３に記載の撮影用背景システム。
【請求項５】
前記鉛直方向に沿って一部互いに重複配置された部分は、１０ｍｍ以上２００ｍｍ以下である、請求項４記載の撮影用背景システム。
【請求項６】
前記所定の間隔は、１００ｍｍ以上５００ｍｍ以下の範囲のいずれかであり、前記壁面に設けられた複数の光源装置から前記背景布との距離は、１０ｍｍ以上１０００ｍｍ以下である、請求項２から５のいずれか１項に記載の撮影用背景システム。
【請求項７】
前記背景布は、フレキシブルフェイスからなる、請求項１から６のいずれか１項に記載の撮影用背景システム。
【請求項８】
壁面または一の面に設けられた複数の光源装置を配設する第１設置工程と、
前記第１設置工程により配設された前記複数の光源装置から照射される光を遮蔽するように、前記壁面または一の面に対向して背景布を配設する第２設置工程と、を含む、撮影用背景システムの設置方法。
【発明の詳細な説明】
【技術分野】
【０００１】
本発明は、撮影用背景システムおよび撮影用背景システムの設置方法に関する。
【背景技術】
【０００２】
特開２００７−１０２１４２号公報（特許文献１）には、複雑な撮影機材や技術、また、コンピューターの画像処理を使わずに、意図的な図形や文字を、被写体の眼球に写し出し撮影できる撮影装置が開示されている。
【０００３】
特許文献１に記載の撮影装置は、組み立て可能な大小の反射板を、被写体の眼球全体に反射面が写り込むように３方向を囲む形で設置し、前記被写体正面の反射面に開けた撮影用のレンズ窓が非反射状態となり、前記被写体の眼球に黒い影として写り込む効果を利用して、そのレンズ窓を意図的な図形や文字の形に切り抜き加工し、反射板内壁への撮影用光源の照射で起こる明暗の対比効果によって、その図形や文字の形を前記被写体の眼球に黒い影で写し出し、撮影することを特徴とする。
【先行技術文献】
【特許文献】
【０００４】
【特許文献１】特開２００７−１０２１４２号公報
【発明の概要】
【発明が解決しようとする課題】
【０００５】
以上のように、特許文献１の撮影装置が開発されている。また、一般的に、撮影時に背景布に光源をあてて、撮影することが多い。
【０００６】
本発明の主な目的は、背景布を発光させる撮影用背景システムおよび撮影用背景システムの設置方法を提供することである。
【課題を解決するための手段】
【０００７】
（１）
一局面に従う撮影用背景システムは、壁面に設けられた複数の光源装置と、光源装置から光源が照射される一の方向に配設される背景布と、を含むものである。
【０００８】
この場合、光源装置から照射された光が背景布の裏面に照射されることで、背景布の表面を発光させることができる。また、複数の光源装置を用いることで、むらなく背景布の表面を明るくすることができる。
また、光源装置とは、蛍光灯、発光ダイオード照明、白熱灯、蛍光等、任意の光源装置を含む。
【０００９】
（２）
第２の発明にかかる撮影用背景システムは、一局面に従う撮影用背景システムにおいて、複数の光源装置は、複数の蛍光灯からなり、複数の蛍光灯は、所定の間隔で配設されてもよい。
【００１０】
この場合、複数の光源装置は、複数の蛍光灯からなり、所定の間隔で配設されているので、安価で、かつ背景布を均一にむらなく光らせることができる。
【００１１】
（３）
第３の発明にかかる撮影用背景システムは、第２の発明にかかる撮影用背景システムにおいて、複数の蛍光灯は、壁面の鉛直上方向から鉛直下方向に沿って、千鳥状に配設されてもよい。
【００１２】
この場合、複数の蛍光灯は、鉛直上下方向に配置される。また、千鳥状に配置されるので、均一な光を背景布の裏面に照射し、背景布を均一に発光させることができる。
なお、複数の蛍光灯は、水平方向に配置されてもよい。さらに、水平方向でかつ千鳥状に配置されてもよい。
【００１３】
（４）
第４の発明にかかる撮影用背景システムは、第２または第３の発明にかかる撮影用背景システムにおいて、複数の蛍光灯は、壁面の鉛直下方側に配置された複数の蛍光灯と、壁面の鉛直上方側に配置された複数の蛍光灯とが、鉛直方向に沿って一部互いに重複配置されてもよい。
【００１４】
この場合、複数の蛍光灯の一部を鉛直方向に沿って重複配置させるので、蛍光灯の端部からの光量を調整することができる。すなわち、光は、発光体から球体方向に進むので、蛍光灯の端部では、光量が落ちやすいという問題がある。当該問題を重複配置させることで、解決することができる。
【００１５】
（５）
第５の発明にかかる撮影用背景システムは、第４の発明にかかる撮影用背景システムにおいて、鉛直方向に沿って一部互いに重複配置された部分は、１０ｍｍ以上２００ｍｍ以下であってもよい。
【００１６】
この場合、１０ｍｍ以上２００ｍｍ以下の距離を重複配置させるので、蛍光灯の端部からの光量を調整することができる。
なお、重複配置の長さは、蛍光灯の長手方向の長さの０．１％以上３０％以下の範囲のいずれかであってもよい。
【００１７】
（６）
第６の発明にかかる撮影用背景システムは、第２から第５の発明にかかる撮影用背景システムにおいて、所定の間隔は、１００ｍｍ以上５００ｍｍ以下の範囲のいずれかであり、壁面に設けられた複数の光源装置から背景布との距離は、１０ｍｍ以上１０００ｍｍ以下であってもよい。
【００１８】
この場合、所定の間隔は、１００ｍｍ以上５００ｍｍ以下の範囲のいずれかであり、壁面に設けられた複数の光源装置から背景布との距離は、１０ｍｍ以上１０００ｍｍ以下であるので、背景布をむらなく均一に発光させることができる。
【００１９】
（７）
第７の発明にかかる撮影用背景システムは、一局面から第６の発明にかかる撮影用背景システムにおいて、背景布は、フレキシブルフェイスからなってもよい。
【００２０】
この場合、背景布は、フレキシブルフェイスからなるので、裏面から背景布に対して照射することで、適切に背景布の表面を発光させることができる。
【００２１】
（８）
他の局面に従う撮影用背景システムの設置方法は、壁面または一の面に設けられた複数の光源装置を配設する第１設置工程と、第１設置工程により配設された複数の光源装置から照射される光を遮蔽するように、壁面または一の面に対向して背景布を配設する第２設置工程と、を含むものである。
【００２２】
この場合、光源装置から照射された光が背景布の裏面に照射されることで、背景布の表面を発光させることができる。また、複数の光源装置を用いることで、むらなく背景布の表面を明るくすることができる。
【図面の簡単な説明】
【００２３】
【図１】一実施の形態にかかる撮影用背景システムの基本構成の一例を示す模式的外観正面図である。
【図２】撮影用背景システムの基本構成の一例を示す模式的外観上面図である。
【発明を実施するための形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
（撮影用背景システムの構成概略）
図１は、一実施の形態にかかる撮影用背景システム１００の基本構成の一例を示す模式的外観正面図であり、図２は、撮影用背景システム１００の基本構成の一例を示す模式的外観上面図である。
【００２６】
図１または図２に示すように、撮影用背景システム１００は、複数の蛍光灯２００および背景布３００を含む。
図１に示すように、複数の蛍光灯２００は、上段の複数の蛍光灯２１０および下段の複数の蛍光灯２２０を含む。
【００２７】
図１に示すように、複数の蛍光灯２００は、壁面４００の鉛直上方向から鉛直下方向に沿って設置されている。
図１の上段の複数の蛍光灯２１０は、幅Ｈの間隔で配設されている。下段の複数の蛍光灯２２０は、幅Ｈの間隔で配設されている。本実施の形態においては、幅Ｈは、２５０ｍｍである。なお、幅Ｈは、１００ｍｍ以上５００ｍｍ以下の範囲内の任意の間隔を用いてもよい。
【００２８】
また、図１に示すように、複数の蛍光灯２１０と複数の蛍光灯２２０とは、距離Ｌにおいて重複配設されている。
本実施の形態においては、距離Ｌは、１００ｍｍである。なお、距離Ｌは、１０ｍｍ以上２００ｍｍ以下の範囲内の任意の数値を用いてもよい。
また、距離Ｌは、複数の蛍光灯２００の個々の長手方向の長さの０．１％以上３０％以下の範囲内の任意の割合を用いてもよい。
【００２９】
その結果、図１に示すように、複数の蛍光灯２１０と複数の蛍光灯２２０とは、千鳥状に配設されている。
本実施の形態においては、壁面４００に複数の蛍光灯２００を配設させることとしているが、これに限定されず、一の面を有する板に設けても良い。
【００３０】
続いて、図２に示すように、壁面４００から距離Ｔの位置に背景布３００が配設される。本実施の形態にかかる距離Ｔは、２８０ｍｍである。なお、距離Ｔは、１０ｍｍ以上１０００ｍｍ以下の範囲内のいずれかであってもよい。
近すぎると背景布３００の表面に蛍光灯２００の形状がうつってしまい、遠すぎると蛍光灯２００の灯りがきれいに届かないという問題があるからである。
【００３１】
また、本実施の形態にかかる背景布３００は、ＦＦ（フレキシブルフェイス）シートからなる。例えば、一例として、ＳＰＷ２５０（カンボウプラス）等を用いることができる。また、背景布３００は、三方抑えで設置を行い、背景布３００の下部は折り込み処理がされている。
さらに、背景布３００の内部は、クロス仕上げである。
また、背景布３００は、手前に折る加工をしても問題ない。すなわち、背景布３００は、床と壁との影を無くす方法で処理されていることが好ましい。
【００３２】
なお、本実施の形態においては、背景布３００がＦＦシートからなることとしているが、これに限定されず、光を少しでも通過させることができるものであれば任意の背景布３００を用いてもよい。
さらに、本実施の形態においては、背景布３００のＦＦシートの内部がクロス仕上げからなることとしているが、これに限定されず、ＥＰ塗装、アクリル塗装、ウレタン塗装およびクロス仕上げ、その他任意の手法で形成してもよい。すなわち、光の反射を最大限得る処理がされていることが好ましい。特に、白色であることが好ましい。
【００３３】
また、本実施の形態にかかる蛍光灯２００は、大光電機（ＤＢＦ−３７１９ＮＷ）３２Ｗ形×１灯ＨＦ蛍光灯（ＥＨＦ）を用いた。なお、その他の任意の蛍光灯を用いてもよい。また、蛍光灯２００に限定されず、光源装置、発光ダイオード等を用いてもよい。
【００３４】
以上のように、本実施の形態における撮影用背景システム１００においては、複数の蛍光灯２００から照射された光が背景布３００の裏面に照射されることで、背景布３００の表面を発光させることができる。また、複数の蛍光灯２００を用いることで、むらなく背景布３００の表面を明るくすることができる。
【００３５】
また、複数の蛍光灯３００は、間隔Ｈで配設されているので、安価で、かつ背景布３００を均一にむらなく光らせることができる。
さらに、複数の蛍光灯３００は、鉛直上下方向に沿って配置される。また、千鳥状に配置されるので、均一な光を背景布３００の裏面に照射し、背景布３００を均一に発光させることができる。
【００３６】
また、複数の蛍光灯３００の一部を鉛直方向に沿って距離Ｌ分を重複配置させるので、蛍光灯３００の端部からの光量を調整することができる。すなわち、光は、発光体から球体方向に進むので、蛍光灯３００の端部では、光量が落ちやすいという問題がある。当該問題を重複配置させることで、解決することができる。
【００３７】
本発明においては、壁面４００が「壁面」に相当し、複数の蛍光灯２００が「複数の光源装置」に相当し、背景布３００が「背景布」に相当し、間隔Ｈが「所定の間隔」に相当し、図１に示す上段の複数の蛍光灯２１０および下段の複数の蛍光灯２２０の配置が「重複配置」に相当する。
【００３８】
本発明の好ましい一実施の形態は上記の通りであるが、本発明はそれだけに制限されない。本発明の精神の範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００３９】
１００  撮影用背景システム
２００  複数の蛍光灯
２１０  上段の複数の蛍光灯
２２０  下段の複数の蛍光灯
３００  背景布
４００  壁面
【図１】
2017135533.tif 000003
【図２】
2017135533.tif 000004